(57)【要約】【課題】吹出口からの風を幅広く吹き出せるようにする。【解決手段】キャビネット３の吹出口５の前方に、導風パネル１０が開閉自在に設けられる。導風パネル１０は、吹出口５を覆い、導風パネル１０が開くと、吹出口５から吹き出す風の向きを上下方向に変える。導風パネル１０に風向板２０が設けられる。複数の風向板２０は、左右方向に横一列に並び、左右方向に風の向きを変える。風向板２０は吹出口５の前方に位置する。風向板２０によって向きを変えられた風は、吹出口５の側壁に邪魔されることなく、左右方向に広く吹き出される。風向板２０は、導風パネル１０が開いているときには起立した通常姿勢とされ、導風パネル１０が閉じたときには横に倒れた収納姿勢となる。【選択図】図２
2010145043.tif 000002
【特許請求の範囲】
【請求項１】
吹出口を有するキャビネットに、風向きを変えるためのパネルが開閉自在に設けられ、パネルは、吹出口を覆うように、キャビネットの前方に配され、パネルに、パネルとは異なる方向に風向きを変える風向板が設けられ、パネルが開いたとき、風向板は、吹出口よりも前方に位置することを特徴とする風向変更装置。
【請求項２】
風向板のパネルからの高さが可変とされ、パネルが開いているとき、風向板は、高くなった通常姿勢となり、パネルが閉じているとき、風向板は、低くなった収納姿勢となることを特徴とする請求項１記載の風向変更装置。
【請求項３】
風向板は、パネルに起伏自在に取り付けられ、パネルが開いているとき、風向板は、起立して通常姿勢となり、パネルが閉じているとき、風向板は、倒れて収納姿勢となることを特徴とする請求項２記載の風向変更装置。
【請求項４】
横方向に並べられた複数の風向板に切替リンクが接続され、切替リンクの移動により、各風向板は、通常姿勢と収納姿勢とに切り替えられることを特徴とする請求項２または３記載の風向変更装置。
【請求項５】
切替リンクは、複数の風向板にそれぞれ連結され、切替リンクを横方向に移動させる移動部が設けられ、切替リンクが横方向に移動したとき、風向板の高さが変わることを特徴とする請求項４記載の風向変更装置。
【請求項６】
風向板は、パネル上に縦軸周りおよび横軸周りに回動自在に支持され、各風向板は、回動リンクにより連結され、回動リンクの移動に連動して、風向板は、縦軸周りに回動し、切替リンクの移動により、風向板は、横軸周りに回動することを特徴とする請求項４または５のいずれかに記載の風向変更装置。
【請求項７】
風向板と切替リンクとの接続部は、縦軸上に位置することを特徴とする請求項６記載の風向変更装置。
【請求項８】
請求項１〜７のいずれかに記載の風向変更装置が搭載され、パネルは、上下方向に回動して、吹出口からの風の向きを上下方向に変え、風向板は、左右方向に回動して、パネルに沿う風の向きを左右方向に変えることを特徴とする空気調和機。
【発明の詳細な説明】
【技術分野】
【０００１】
本発明は、吹出口から吹き出す風の向きを変える風向変更装置およびそれを備えた空気調和機に関する。
【背景技術】
【０００２】
空気調和機の室内ユニットには、風向変更装置が設けられ、風向変更装置によって、運転モードに応じて吹出口から吹き出す風の方向を上下方向および左右方向に変えている。風向変更装置は、上下方向に風の向きを変えるルーバと、左右方向に風の向きを変える風向板とを備えている。
【０００３】
ルーバおよび風向板は、キャビネットに形成された吹出口に設けられる。例えば、特許文献１のように、ルーバは、キャビネットに上下方向に回動自在に支持される。風向板は、ルーバに左右方向に回動自在に支持される。
【特許文献１】特開２００６−１７７６０３号公報
【発明の開示】
【発明が解決しようとする課題】
【０００４】
上記の吹出口に設けられた風向板は、キャビネットの内部に位置する。すなわち、風向板は、キャビネットに内装された送風機から吹出口に至る送風通路に配される。風向板の周囲が送風通路を形成する壁によって囲まれることになる。
【０００５】
このように、風向板は送風機の近くに位置し、左右方向両側に送風通路の側壁が近接する。左右方向の両端において、風向板によって向きが変えられた風が吹出口近傍の側壁に当たる。風の流れが乱され、左右方向に広く吹き出すことができなくなる。また、風向板が送風機に近いと、風向板に風が強く当たって、騒音の原因となったり、送風の圧力損失が生じて、遠くまで風を吹き出すことができなくなる。
【０００６】
本発明は、上記に鑑み、吹出口に阻害されることなく、幅広く送風することができる空気調和機等に使用される風向変更装置およびそれを備えた空気調和機の提供を目的とする。
【課題を解決するための手段】
【０００７】
本発明は、吹出口を有するキャビネットに、風向きを変えるためのパネルが開閉自在に設けられ、パネルは、吹出口を覆うように、キャビネットの前方に配され、パネルに、パネルとは異なる方向に風向きを変える風向板が設けられたものである。パネルが開いたとき、風向板は、吹出口よりも前方に位置する。
【０００８】
吹出口を覆うパネルに風向板を設けることにより、風向板は吹出口の外部に位置することになる。そのため、風向板によって向きを変えられた風は、吹出口の側壁に当たらずに吹き出される。
【０００９】
開閉自在なパネルに風向板を設けると、パネルが閉じるときに風向板が邪魔になる。そこで、風向板のパネルからの高さが可変とされ、パネルが開いているとき、風向板は、高くなった通常姿勢となり、パネルが閉じているとき、風向板は、低くなった収納姿勢となる。風向板が収納姿勢になることにより、風向板のパネルからの高さが低く抑えられる。したがって、パネルが閉じたときに生まれるキャビネットとの狭い空間に、風向板を納めることができる。
【００１０】
風向板は、パネルに起伏自在に取り付けられることにより、風向板の高さが可変となる。パネルが開いているとき、風向板は、起立して通常姿勢となり、パネルが閉じているとき、風向板は、倒れて収納姿勢となる。
【００１１】
横方向に並べられた複数の風向板に切替リンクが接続され、切替リンクの移動により、各風向板は、通常姿勢と収納姿勢とに切り替えられる。切替リンクを用いることにより、複数の風向板の姿勢を同時に切り替えることができる。
【００１２】
切替リンクは、複数の風向板にそれぞれ連結され、切替リンクを横方向に移動させる移動部が設けられ、切替リンクが横方向に移動したとき、風向板の高さが変わる。移動部は、切替リンクを横方向に往復移動させる。切替リンクの往復移動により、風向板が起伏して、姿勢が切り替えられる。
【００１３】
風向板は、パネル上に縦軸周りおよび横軸周りに回動自在に支持され、各風向板は、回動リンクにより連結され、回動リンクの移動に連動して、風向板は、縦軸周りに回動し、切替リンクの移動により、風向板は、横軸周りに回動する。風向板が縦軸周りに回動することにより、風の向きが変えられる。横軸周りに回動することにより、風向板は起伏する。
【００１４】
風向板と切替リンクとの接続部は、縦軸上に位置する。風向板が縦軸周りに回動したとき、接続部はほとんど移動しない。そのため、回動リンクが回動しても、切替リンクは移動せず、通常姿勢の風向板の姿勢は変わらない。
【発明の効果】
【００１５】
本発明によると、吹出口よりも前方において、風向板により風の向きが変えられる。これにより、吹出口の側壁に邪魔されずに、風を幅広く吹き出すことができる。また、風向板が吹出口よりも前方に位置していても、風向板が起伏することにより、パネルが閉じたときに、風向板をキャビネット内に収納できる。
【発明を実施するための最良の形態】
【００１６】
本実施形態の空気調和機の室内ユニットを図１、２に示す。室内ユニットは、熱交換器１および室内ファン２を備え、これらがキャビネット３に内装されている。キャビネット３は、高さよりも奥行きが長い箱状に形成され、前面から底面にかけて湾曲面とされる。キャビネット３の上面に吸込口４が形成され、湾曲面に吹出口５が形成される。
【００１７】
キャビネット３の内部には、吸込口４から吹出口５に至る空気通路６が形成され、この空気通路６に熱交換器１と室内ファン２とが配設される。吸込口５と熱交換器１との間に、フィルタ７が配され、吸込口４から吸込んだ室内の空気から塵埃を除去する。このフィルタ７を清掃する清掃装置８が設けられる。
【００１８】
キャビネット３の湾曲面には、吹出口５を開閉する導風パネル１０が設けられる。図２に示すように、導風パネル１０は、少なくとも下開き可能とされ、導風パネル１０を移動させて開閉する開閉機構が設けられる。
【００１９】
導風パネル１０は、湾曲した１枚のパネルによって形成され、キャビネット３の前面を覆う。導風パネル１０の幅は、キャビネット３の幅と同寸とされ、吹出口５の幅より大とされる。そして、キャビネット３の前面には、前面の中段部分から底面にかけて、一段低くなるように前パネル１１が形成される。これによって、幅方向全体に凹部が形成され、凹部に導風パネル１０が嵌るようになっている。凹部を形成する前パネル１１に開口が形成され、この開口が吹出口５である。そのため、導風パネル１０は、吹出口５よりも前方に位置することになり、吹出口５および吹出口５の周囲の前パネル１１を覆う。このとき、導風パネル１０は図１に示す閉姿勢となる。
【００２０】
このように、導風パネル１０の外面がキャビネット３の前面から底面に至る滑らかな湾曲面を構成する。すなわち、導風パネル１０が、キャビネット３の前面の一部を構成する部材となる。言い換えれば、キャビネット３のパネルの一部を導風パネル１０として利用する。これによって、導風パネル１０は、従来の空気調和機に採用されているルーバに比べて全長が長いロングパネルとなる。
【００２１】
導風パネル１０は、下軸１２を中心にして回動することにより、上方向に開く。図２に示すように、導風パネル１０は、冷房運転時には下軸１２周りに下開きする。この下開き姿勢のとき、導風パネル１０は、吹出口５の下壁１３とつながる。導風パネル１０と吹出口５の上壁１４とによってロングノズルが形成される。導風パネル１０は、冷風を斜め上方向に導き、冷風が天井に沿って吹き出す。
【００２２】
上記のように大型化された導風パネル１０では、捩れや撓みが生じやすい。そこで、導風パネル１０の内面において、前後方向（短手方向）側の両端縁に補強用の周壁が形成される。周壁は、左右方向（長手方向）全体にわたって形成される。周壁は中空構造とされ、周壁を厚肉にできる。このような周壁により、導風パネル１０の強度アップを図れ、撓みを防止できる。さらに、左右方向側の両端縁にも、同様の補強用の周壁が形成される。したがって、導風パネル１０の捩れを防止できる。
【００２３】
このように、導風パネル１０の四方の端縁を厚肉化して補強することにより、導風パネル１０の変形に対する強度を高めることができ、導風パネル１０の大型化が可能となる。しかも、導風パネル１０は変形しにくい構造となるので、導風パネル１０の前後方向の湾曲具合を大きくすることが可能となり、導風パネル１０が開いたときの送風方向の制御がしやすくなる。すなわち、冷房運転時には、天井に向かうように冷風を導くことができ、冷風の到達距離を長くできる。
【００２４】
また、周壁の先端側に、傾斜面が形成される。周壁の内側面が傾斜面とされる。外側面は、垂直面とされる。導風パネル１０が下開き姿勢にあるとき、吹き出された冷風が左右方向に位置する周壁に当たり、周壁に露が付くことがある。そこで、傾斜面とすることにより、冷風は傾斜面に沿って流れる。冷風は留まることなく流れ、周壁への結露を防止できる。
【００２５】
この周壁に囲まれた導風パネル１０の内面に、断熱材１５が設けられる。断熱材１５は、左右方向の両端側を除き、全面にわたって装着される。断熱材１５の左右方向の幅は、吹出口５の幅よりも大とされる。断熱材１５の表面は面一とされる。したがって、吹出口５に面する導風パネル１０の内面側には突出物がなく、風の流れを妨げない。
【００２６】
導風パネル１０には、風向板２０が設けられる。風向板２０は、左右方向に角度を変えて、左右方向の風向きを変える。そして、キャビネット３に、吹出口５から吹き出す風の向きを変える風向変更装置が設けられる。風向変更装置は、導風パネル１０を開閉する開閉機構と、風向板２０を左右方向に回動する風向可変機構とを有する。
【００２７】
図３は、導風パネル１０が下軸１２周りに下開きした際の斜視図である。なお、図３では、導風パネル１０に設けられる風向板２０を省略している。図３に示すように、導風パネル１０の内面の左右方向の両側には、導風パネル１０と一体化した支持材２１が設けられる。支持材２１は、キャビネット３に対してロッド２２を介して取り付けられる。すなわち、導風パネル１０は、ロッド２２を介してキャビネット３に取り付けられる。支持材２１の後端側に下軸１２が設けられる。開閉機構は、開閉モータによってロッド２２を前後方向に移動させる。導風パネル１０が開くとき、ロッド２２が前方に移動し、閉じるときには、ロッド２２が後方に移動する。
【００２８】
風向板２０は、導風パネル１０の内面側に配置される。複数の風向板２０が左右方向に横一列に並べられ、送風方向と平行に縦置きされる。そして、風向板２０は、導風パネル１０の後端側に配置される。すなわち、風向板２０は、吹出口５よりも前方に位置する。風向板２０は、硬質部２３と可撓部２４とを組み合わせて形成され、前後の硬質部２３の間に可撓部２４が配列される。図４に示すように、複数の風向板２０は、左右に分割され、左右一対になっている。
【００２９】
風向板２０は、導風パネル１０に縦軸周りおよび横軸周りに回動自在に支持される。図５に示すように、風向板２０の後端の下部が、球状に形成され、導風パネル１０に球面軸受２５が設けられ、風向板２０は導風パネル１０に回動自在に支持される。これにより、風向板２０は、縦軸周りに左右方向に回動するとともに、横軸周りに回動して、起伏可能とされる。したがって、風向板２０を横に倒すことができる。なお、縦軸は、球面軸受２５を通り、導風パネル１０に対して垂直な軸であり、横軸は、球面軸受２５を通り、前後方向と平行な軸である。
【００３０】
図２、４に示すように、風向板２０は、導風パネル１０が開いているとき、起立した通常姿勢となっている。図１、６に示すように、導風パネル１０が閉じたとき、風向板２０は左右方向に倒れた収納姿勢となる。導風パネル１０が閉じたとき、導風パネル１０とキャビネット３の上壁１４との間の空間が狭くなり、風向板２０が上壁１４に当たってしまう。そのため、風向板２０は横に倒れることにより、風向板２０の導風パネル１０からの高さが低くなり、風向板２０はキャビネット３に当たらない。通常姿勢のときの風向板２０は、キャビネット３の上壁１４に接触しない高さとされる。そこで、風向変更装置は、このように風向板２０の高さを可変して、収納可能とする収納機構を有する。
【００３１】
風向可変機構として、図４に示すように、複数の風向板２０を連結する回動リンク４０が設けられ、回動リンク４０を左右方向に移動させる移動部を備える。これにより、各風向板２０が縦軸周りに同じ方向に同時に回動する。
【００３２】
回動リンク４０は、ポリプロピレン等の熱可塑性樹脂によって帯状に形成され、隣り合う風向板２０同士をつなぐ。回動リンク４０は、風向板２０と一体的に形成され、前側の硬質部２３の上部から左右方向に延び、１本のリンクのようになっている。回動リンク４０の厚さは左右方向において異なる。風向板２０に近い部分では薄肉とされ、中央部分では厚肉とされる。これにより、回動リンク４０は、風向板２０に対して上下方向に撓み、回動リンク４０と風向板２０とのなす角度が変わる。
【００３３】
最も外側に位置する風向板２０では、回動リンク４０が左右方向の側方に突出している。図７に示すように、この回動リンク４０の端部が連結ロッド４１を介して移動部としての回動モータ４２に連結される。連結ロッド４１は、Ｌ字状に形成され、連結ロッド４１の一端に回動リンク４０が接続される。連結ロッド４１の一端に、縦孔４３が形成され、縦孔４３に回動リンク４０の一端が抜けないように嵌められる。例えば、回動リンク４０に溝が形成され、この溝が縦孔４３に嵌め込まれる。回動リンク４０の一端は、連結ロッド４１に対して上下動可能とされる。
【００３４】
連結ロッド４１の他端は、自在継手４４を介して回動モータ４２のモータ軸に接続される。縦置きされた回動モータ４２は、キャビネット３に内装され、吹出口５の下壁１３の下方に配置される。自在継手４４は、吹出口５の側壁近くの下壁１３上に位置する。連結ロッド４１は、自在継手４４を通る下壁１３に垂直な縦軸周りに回動するとともに、自在継手４４を通る前後方向と平行な横軸周りに回動する。
【００３５】
回動モータ４２の駆動により、モータ軸が回転し、回転力が自在継手４４から連結ロッド４１に伝達され、連結ロッド４１がモータ軸周りに回動して、連結ロッド４１の一端が首振りする。このように連結ロッド４１が首振りすることにより、回動リンク４０は左右方向に移動し、風向板２０は縦軸周りに左右方向に回動する。また、連結ロッド４１は、自在継手４４周りに回動し、連結ロッド４１が自在継手４４を中心にして横に倒れる。なお、この風向可変機構は、左右に分割された風向板２０に応じて、左右両側にそれぞれ設けられる。
【００３６】
収納機構として、図４に示すように、複数の風向板２０を連結する切替リンク５０が設けられ、切替リンク５０を左右方向に移動させる移動部を備える。切替リンク５０は、風向板２０を貫通する１本の水平なリンクである。図１に示すように、風向板２０の後側の硬質部２３の下部に、縦孔５１が形成され、この縦孔５１に切替リンク５０が挿通される。図５に示すように、縦孔５１を跨ぐように水平な横棒５２が形成され、切替リンク５０に、湾状の切り込み５３が形成されている。縦孔５１を利用して、切替リンク５０を横棒５２に押しつけることにより、切り込み５３に横棒５２が嵌め込まれて、切替リンク５０が風向板２０に連結される。
【００３７】
切替リンク５０は、横棒５２に対して回動自在とされ、切替リンク５０は風向板２０に対して傾斜可能とされる。縦孔５１は、球面軸受２５の上方に形成され、切替リンク５０と風向板２０との接続部は、縦軸上に位置する。そのため、風向板２０が左右方向に回動しても、縦軸上に位置する風向板２０の後端部分はほとんど回動せず、切替リンク５０は、左右方向に移動しない。
【００３８】
最も外側に位置する風向板２０では、切替リンク５０が左右方向の側方に突出している。なお、切替リンク５０の突出長さは、回動リンク４０の突出長さより小とされる。図８に示すように、切替リンク５０の端部が切替ロッド５５を介して移動部としての切替モータ５６に連結される。切替リンク５０に、後側に向かって延びた延伸部５７が形成され、直線状に形成された切替ロッド５５の一端が延伸部５７に接続され、他端が切替モータ５６に接続される。切替ロッド５５の一端に、縦孔５８が形成され、縦孔５８に切替リンク５０の一端が抜けないように嵌められる。例えば、切替リンク５０に溝が形成され、この溝が縦孔５８に嵌め込まれる。切替リンク５０の一端は、切替ロッド５５に対して上下動可能とされる。
【００３９】
切替ロッド５５の他端は、ギア５９を介して切替モータ５６のモータ軸に接続され、切替ロッド５５は横軸と平行な軸周りに回動する。横置きされた切替モータ５６は、キャビネット３に内装され、吹出口５の下壁の下方に配置される。なお、この収納機構は、左右に分割された風向板２０に応じて、左右両側にそれぞれ設けられる。
【００４０】
切替モータ５６の駆動により、切替ロッド５５が回動して、切替ロッド５５は起立した状態と横に倒れた状態とになる。切替ロッド５５が横に倒れたとき、切替ロッド５５が入り込むように、キャビネット３の下壁１３に凹みを形成しておく。
【００４１】
切替ロッド５５の回動に伴って、切替リンク５０は、左右方向に移動しながら上下方向にも移動する。このように切替ロッド５５が回動することにより、風向板２０は横軸周りに回動する。切替ロッド５５が起立した状態のとき、風向板２０は起立した通常姿勢となり、切替ロッド５５が横倒し状態のとき、風向板２０は収納姿勢となる。風向板２０は、高くなった通常姿勢と低くなった収納姿勢とに切り替えられ、風向板２０の導風パネル１０からの高さが可変される。
【００４２】
開閉機構におけるロッド２２を移動させる開閉モータ、風向可変機構の回動モータ４２および収納機構の切替モータ５６の駆動は、制御装置によって制御される。制御装置は、空気調和機の冷凍サイクルを制御して、暖房運転、冷房運転等の各種運転を実行する。運転に応じて、導風パネル１０が開くとともに、風向板２０が決められた向きに可変されたり、あるいは連続して首振りされる。
【００４３】
図２に示すように、運転中、導風パネル１０は開いている。このとき、風向板２０は通常姿勢にある。回動モータ４２が駆動すると、回動リンク４０が左右方向に移動する。この移動により、風向板２０の前側が引っ張られ、回動リンク４０の移動した方向に風向板２０が回動する。
【００４４】
吹出口５からの風が導風パネル１０に沿って流れるとき、風向板２０によって風向きが変えられる。風向板２０は吹出口５よりも前方に位置する導風パネル１０上にあるので、左右方向の端の風向板２０によって側方に向きを変えられた風は、吹出口５の側壁に当たらずに吹き出す。これにより、風向板２０の回動角度を大きくすることが可能となる。したがって、吹き出す風は左右方向に大きく広がり、室内の隅々まで温風あるいは冷風を行き渡らせることができる。また、風向板２０は送風機２から遠くなり、送風の圧力損失が減って、遠くまで送風することができる。
【００４５】
運転が停止すると、導風パネル１０が閉じる。導風パネル１０が閉じ始めると、切替モータ５６が駆動され、切替リンク５０が左右方向に移動する。このとき、風向板２０は、まっすぐ正面を向いた位置に戻される。そして、切替リンク５０により風向板２０が引っ張られて、横軸周りに回動し、風向板２０は倒れる。このように風向板２０が倒れるとき、回動リンク４０は、連結ロッド４１に対して下降するとともに、風向板２０に対して傾斜する。そのため、回動リンク４０が風向板２０の倒れを邪魔することなく、風向板２０の姿勢をスムーズに変えることができる。なお、左右の分割された風向板２０のうち、正面から見て右側の風向板２０は右側に倒れ、左側の風向板２０は左側に倒れる。
【００４６】
風向板２０は斜めに倒れた収納姿勢になった後、導風パネル１０が完全に閉じる。導風パネル１０からの風向板２０の高さは低くなり、導風パネル１０とキャビネット３の上壁１４との間の空間に納まり、キャビネット３に風向板２０が接触することはない。
【００４７】
導風パネル１０が開くとき、切替モータ５６が駆動される。切替リンク５０は、収納するときとは逆方向に移動する。風向板２０は、切替リンク５０に引っ張り上げられて起き上がり、通常姿勢となる。
【００４８】
このように、導風パネル１０を閉じたときには、収納姿勢にある風向板２０はコンパクトになり、収納性がよくなる。このことから、風向板２０を大きくしても、導風パネル１０を閉じたときに邪魔にならない。風向板２０を大型化できることにより、左右方向の風の流れを確実に制御でき、送風性能を向上できる。
【００４９】
収納機構の他の形態として、図９に示すように、風向板２０に水平方向にヒンジ部６０が設けられ、風向板２０が水平に折れ曲がる構造とされる。各風向板２０に支持ロッド６１がそれぞれ接続され、複数の支持ロッド６１は切替リンク５０に接続される。風向板２０の後端に、棒状の支持ロッド６１の一端が回転自在に取り付けられる。風向板２０の後端からピン６２が突出して形成され、支持ロッド６１の一端に孔が形成され、孔にピン６２が嵌め込まれ、支持ロッド６１の一端が風向板２０に連結される。支持ロッド６１は、縦軸の近傍に位置し、ヒンジ部６０よりも上側において風向板２０と接続される。
【００５０】
支持ロッド６１の他端は、切替リンク５０に取り付けられる。支持ロッド６１は、支持軸６３を介して切替リンク５０に左右方向に回動自在に支持される。切替リンク５０は、キャビネット３の下壁上を左右方向にスライド自在とされ、切替リンク５０の一端が、ギアを介して切替モータ５６に接続される。その他の構成は、上記したものと同じである。
【００５１】
風向板２０が通常姿勢にあるとき、切替モータ５６が駆動すると、切替リンク５０が左右方向に移動する。支持ロッド６１の他端が移動して、風向板２０が支持ロッド６１によって引っ張られる。風向板２０は、折れ曲がり、収納姿勢となる。導風パネル１０が開くとき、切替モータ５６が駆動され、切替リンク５０は収納するときとは逆方向に移動する。風向板２０は、支持ロッド６１に押し上げられて起立し、通常姿勢になる。通常姿勢において、支持ロッド６１は直立した状態に維持されるので、風向板２０は、折れ曲がることはなく、通常姿勢が保持される。
【００５２】
なお、本発明は、上記実施形態に限定されるものではなく、本発明の範囲内で上記実施形態に多くの修正および変更を加え得ることは勿論である。風向変更装置は、空気調和機以外に、空気清浄機、加湿器、除湿器、ファンヒータ等に装着可能である。また、キャビネットが縦長の場合、吹出口は垂直方向に長く形成される。導風パネルは横方向に開閉し、風向板は上下方向に回動する。
【００５３】
風向板が高さ方向に伸縮する構造としてもよい。例えば、風向板の一部を蛇腹状に形成して、伸縮可能とする。例えばスライダクランク機構を用いて、風向板の上部を下部に対して上下動させる。これにより、風向板の高さを変えることができる。
【００５４】
また、導風パネルの形態は上記の形態に限定されるものではない。例えば、図１０に示すように、導風パネル１０が上下両開き可能としてもよい。導風パネル１０の上軸３０は支持材１６の前端側に設けられる。暖房運転時には、導風パネル１０は、上軸３０周りに上開きする。冷房運転時には、導風パネル１０は、下軸周りに１２に下開きする。
【００５５】
この場合、風向板２０に対する風向可変機構および収納機構は導風パネル１０に設けられる。各機構のモータへの配線は、ロッド２２の内部を通過するようにすればよい。あるいは、手動により風向板の向きを変える構成としてもよい。
【００５６】
図１０に示すように、導風パネル１０が上軸３０周りに上開きした上開き姿勢のとき、導風パネル１０は、吹出口５の前方を遮蔽し、前方に向かって吹き出される温風を押さえ込み、温風を床面方向に導く。なお、冷房運転の初期時にも、導風パネル１０は上開き姿勢とされ、冷風が床面方向に吹き出され、急速冷房が行われる。導風パネル１０は、運転停止時には、図１に示すように閉姿勢となり、吹出口５を覆って、キャビネット３と一体化する。
【図面の簡単な説明】
【００５７】
【図１】本発明の風向板が収納姿勢のときの空気調和機の概略構成図
【図２】風向板が通常姿勢のときの空気調和機の概略構成図
【図３】導風パネルが下開きしたときの空気調和機の斜視図
【図４】パネルが開いているときの空気調和機の正面図
【図５】風向板と切替リンクとの接続部分を示す図
【図６】パネルが閉じているときの空気調和機の正面図
【図７】回動機構を示す図であって、（ａ）は側面図、（ｂ）は正面図
【図８】収納機構を示す図であって、（ａ）は側面図、（ｂ）は正面図
【図９】他の形態の収納機構を示す図であって、（ａ）は側面図、（ｂ）は背面図、（ｃ）は風向板が倒れたときの背面図
【図１０】導風パネルが上開きしたときの空気調和機の概略構成図
【符号の説明】
【００５８】
３    キャビネット
５    吹出口
１０    導風パネル
２０    風向板
４０    回動リンク
４１    連結ロッド
５０    切替リンク
５５    切替ロッド
５６    切替モータ
【図１】
2010145043.tif 000003
【図２】
2010145043.tif 000004
【図３】
2010145043.tif 000005
【図４】
2010145043.tif 000006
【図５】
2010145043.tif 000007
【図６】
2010145043.tif 000008
【図７】
2010145043.tif 000009
【図８】
2010145043.tif 000010
【図９】
2010145043.tif 000011
【図１０】
2010145043.tif 000012